(57)【要約】【課題】オフアキシャル光学素子を用いた画像読取用一体型ユニットの小型化を図ると共に、画像読取装置全体の小型化を図ることができる画像読取装置および画像読取用一体型ユニットを提供する。【解決手段】副走査断面において、複数の反射光学素子間における光束のうち、少なくとも一つの光束の中心光線の方向を、画像読取用一体型ユニットの対角方向であって第１のオフアキシャル光学素子、第２のオフアキシャル光学素子間における光束の中心光線の方向と同じ方向性の傾斜を備える方向としたことを特徴とする。【選択図】図１
2013192053.tif 000002
【特許請求の範囲】
【請求項１】
原稿面を照明する照明手段と、原稿面に載置される原稿からの光束を反射させる複数の反射光学素子と、前記複数の反射光学素子で反射される光束を結像させる結像光学系であって、原稿面からの光路に沿って順に設けられる第１のオフアキシャル光学素子、第２のオフアキシャル光学素子間における光束の中心光線の方向が原稿面に対して傾斜した方向である結像光学系と、前記結像光学系の結像位置で主走査方向に複数の読取画素を備える読取手段と、を一体的に設けた画像読取用一体型ユニットを副走査方向に相対移動させて、原稿の画像情報を読取る画像読取装置であって、
副走査断面において、前記複数の反射光学素子間における光束のうち、少なくとも一つの光束の中心光線の方向を、前記画像読取用一体型ユニットの対角方向であって前記第１のオフアキシャル光学素子、前記第２のオフアキシャル光学素子間における光束の中心光線の方向と同じ方向性の傾斜を備える方向としたことを特徴とする画像読取装置。
【請求項２】
前記第２のオフアキシャル光学素子と前記読取手段は、原稿面の法線方向で前記第１のオフアキシャル光学素子より遠い位置に配置され、
前記読取手段は、前記画像読取用一体型ユニットの副走査方向における端部に配置され、前記複数の反射光学素子の少なくとも1つは、副走査方向で第２のオフアキシャル光学素子より前記読取手段に近い位置に配置されることを特徴とする請求項１に記載の画像読取装置。
【請求項３】
前記少なくとも一つの光束の中心光線は、前記第１のオフアキシャル光学素子の中心光線反射点を通る前記副走査方向の線と、前記第２のオフアキシャル光学素子の中心光線反射点を通る原稿面の法線と、前記第１のオフアキシャル光学素子と前記第２のオフアキシャル光学素子間における光束の中心光線と、で形成される三角形の領域内を通過することを特徴とする請求項１または２に記載の画像読取装置。
【請求項４】
前記複数の反射光学素子のうち、原稿面からの光束を最初に反射する第１反射光学素子が原稿面の法線方向に原稿面から最も離れた位置に設けられ、
第１のオフアキシャル光学素子、第２のオフアキシャル光学素子間における光束の中心光線と副走査方向のなす角度をω、
複数の反射光学素子間の光束の中心光線と副走査方向のなす角度の平均値をθ、
反射光学素子間の反射面間隔の副走査方向における最大値に対する、原稿面の法線方向における原稿面から第１反射光学素子までの間隔のなす角度をα、
とするとき、
ω＞α＞θ
なる条件を満たすことを特徴とする請求項１乃至３のいずれか１項に記載の画像読取装置。
【請求項５】
前記第１のオフアキシャル光学素子への入射光束、前記第２のオフアキシャル光学素子からの射出光束の少なくとも一方の中心光線は、原稿面と平行もしくは平行に近い方向であることを特徴とする請求項１乃至４のいずれか１項に記載の画像読取装置。
【請求項６】
前記対角方向とは別の対角方向に、前記照明手段および前記読取手段が設けられることを特徴とする請求項１乃至５のいずれか１項に記載の画像読取装置。
【請求項７】
前記反射光学素子はミラーであることを特徴とする請求項１乃至６のいずれか１項に記載の画像読取装置。
【請求項８】
原稿面を照明する照明手段と、原稿面に載置される原稿からの光束を反射させる複数の反射光学素子と、前記複数の反射光学素子で反射される光束を結像させる結像光学系であって、原稿面からの光路に沿って順に設けられる第１のオフアキシャル光学素子、第２のオフアキシャル光学素子間における光束の中心光線の方向が原稿面に対して傾斜した方向である結像光学系と、前記結像光学系の結像位置で長手方向に複数の読取画素を備える読取手段と、を一体的に設けた画像読取用一体型ユニットであって、
前記長手方向に直交する断面において、前記複数の反射光学素子間における光束のうち、少なくとも一つの光束の中心光線の方向を、前記画像読取用一体型ユニットの対角方向であって前記第１のオフアキシャル光学素子、前記第２のオフアキシャル光学素子間における光束の中心光線の方向と同じ方向性の傾斜を備える方向としたことを特徴とする画像読取用一体型ユニット。
【発明の詳細な説明】
【技術分野】
【０００１】
本発明は、照明手段、複数の反射光学素子、結像光学系、そして読取手段を含む画像読取用一体型ユニット、およびこれを用いて原稿の画像情報を読取る画像読取装置に関し、イメージスキャナーやデジタル複写機等の装置に好適なものである。
【背景技術】
【０００２】
従来より、イメージスキャナーやデジタル複写機等の画像読取装置が種々提案されている。図４は、一体走査光学系ユニット４０７を有する画像読取装置の要部概略図である。一体型走査光学系ユニット４０７は、原稿台ガラス（原稿台）４０２上の原稿面に載置された原稿４０１を照明する照明手段４０３により照明された原稿４０１からの光束を読取る読取手段（ラインセンサーもしくはイメージセンサー）４０５を有する。
【０００３】
さらに原稿４０１からの光束を読取手段４０５に導く複数のミラー４０４ａ〜４０４ｄ、原稿４０１からの画像情報に基づく光束を読取手段４０５面上に結像させる結像光学系（結像レンズ）４０６等を有する。このように構成された一体走査光学系ユニット４０７は、駆動手段としての駆動モータ（副走査モータ）４０８により、同図に示す原稿面と平行な矢印Ａ方向（副走査方向）に走査される。一体型走査光学系ユニット４０７を構成する各要素は、その各要素の相対位置関係を変えずに原稿を走査するものである。
【０００４】
図４において、原稿４０１からの光束が、第１ミラー４０４ａ、第２ミラー４０４ｂ、第３ミラー４０４ｃ、第４ミラー４０４ｄでそれぞれ反射されて、折り返された光路が形成される。そして、第４反射光学素子４０４ｄで反射した光束は、結像光学系４０６により、読取手段４０５面上へ結像される。
【０００５】
このような構成において、読取手段４０５で読取られた原稿の画像情報は電気信号として特定の画像処理部（不図示）に送られ、特定の信号処理を施された後に出力されるようになっている。なお、画像読取装置は、本装置を駆動するための電源部（不図示）を併せ持っている。
【０００６】
この種の画像読取装置においては、従来より、キャリッジ（画像読取用一体型ユニット）全体の小型化が要望されている。この解決法として、反射光学素子の反射回数を増やしながら、画像読取用一体型ユニット全体の小型化を進める方法が提案されている（特許文献１）。また、画像読取装置において、結像光学系を構成面が一般に非共軸となるオフアキシャル光学素子で構成し、非対称収差の発生が少なく、良好な像性能を維持する簡易な構成が提案されている（特許文献２）。
【先行技術文献】
【特許文献】
【０００７】
【特許文献１】特開２００８−２７８４１８号公報
【特許文献２】特開２００６−２１５３７４号公報
【発明の概要】
【発明が解決しようとする課題】
【０００８】
しかしながら、上記の画像読取装置においては、以下に示す改善の余地があった。即ち、特許文献１では、キャリッジ（一体型走査光学系ユニット）の小型化を図るミラーの配置が提案されているが、副走査方向へのより小型化がなされることが望ましいものであった。また、特許文献２では、２つのオフアキシャル光学素子からなる結像光学系により、簡易な構成としているが、ミラーを配置する際に原稿面と結像光学系間の上下方向（原稿面４０１の法線方向）の空間がより有効に活用されることが望ましいものであった。
【０００９】
本発明の目的は、オフアキシャル光学素子を用いた画像読取用一体型ユニットの小型化を図ると共に、画像読取装置全体の小型化を図ることができる画像読取装置および画像読取用一体型ユニットを提供することにある。
【課題を解決するための手段】
【００１０】
上記目的を達成するために、本発明に係る画像読取装置の代表的な構成は、原稿面を照明する照明手段と、原稿面に載置される原稿からの光束を反射させる複数の反射光学素子と、前記複数の反射光学素子で反射される光束を結像させる結像光学系であって、原稿面からの光路に沿って順に設けられる第１のオフアキシャル光学素子、第２のオフアキシャル光学素子間における光束の中心光線の方向が原稿面に対して傾斜した方向である結像光学系と、前記結像光学系の結像位置で主走査方向に複数の読取画素を備える読取手段と、を一体的に設けた画像読取用一体型ユニットを副走査方向に相対移動させて、原稿の画像情報を読取る画像読取装置であって、副走査断面において、前記複数の反射光学素子間における光束のうち、少なくとも一つの光束の中心光線の方向を、前記画像読取用一体型ユニットの対角方向であって前記第１のオフアキシャル光学素子、前記第２のオフアキシャル光学素子間における光束の中心光線の方向と同じ方向性の傾斜を備える方向としたことを特徴とする。
【００１１】
また、本発明に係る画像読取用一体型ユニットの代表的な構成は、原稿面を照明する照明手段と、原稿面に載置される原稿からの光束を反射させる複数の反射光学素子と、前記複数の反射光学素子で反射される光束を結像させる結像光学系であって、原稿面からの光路に沿って順に設けられる第１のオフアキシャル光学素子、第２のオフアキシャル光学素子間における光束の中心光線の方向が原稿面に対して傾斜した方向である結像光学系と、前記結像光学系の結像位置で長手方向に複数の読取画素を備える読取手段と、を一体的に設けた画像読取用一体型ユニットであって、前記長手方向に直交する断面において、前記複数の反射光学素子間における光束のうち、少なくとも一つの光束の中心光線の方向を、前記画像読取用一体型ユニットの対角方向であって前記第１のオフアキシャル光学素子、前記第２のオフアキシャル光学素子間における光束の中心光線の方向と同じ方向性の傾斜を備える方向としたことを特徴とする。
【発明の効果】
【００１２】
本発明によれば、オフアキシャル光学素子を用いた画像読取用一体型ユニットの小型化を図ると共に、画像読取装置全体の小型化を図ることができる。
【図面の簡単な説明】
【００１３】
【図１】本発明の第１の実施形態に係る画像読取用一体型ユニットおよび画像読取装置の要部構成図である。
【図２】本発明の第２の実施形態に係る画像読取用一体型ユニットおよび画像読取装置の要部構成図である。
【図３】本発明の第３の実施形態に係る画像読取用一体型ユニットおよび画像読取装置の要部構成図である。
【図４】従来の画像読取用一体型ユニットおよび画像読取装置の要部構成図である。
【発明を実施するための形態】
【００１４】
以下に、本発明の好ましい実施の形態を、添付の図面に基づいて詳細に説明する。
【００１５】
《第１の実施形態》
図１は、本発明の第１の実施形態に係る画像読取用一体型ユニットおよび画像読取装置の要部構成図である。ここで、以下の説明において、画像読取用一体型ユニット１０７の左右方向とは、駆動手段（副走査モータ）１０８によって画像読取用一体型ユニット１０７が駆動される方向のことで、副走査方向に相当している。また画像読取用一体型ユニットの上下方向とは、原稿面１０１の法線方向（鉛直方向）のことであり、上側の方向とは原稿面１０１側の方向のことであり、下側の方向とはその逆の方向のことである。また主走査方向とは、読取手段１０５の画素の並ぶ長手方向（紙面垂直方向）である。
【００１６】
（画像読取装置と画像読取用一体型ユニット）
図中、１は画像読取装置本体、１０２は原稿台（原稿台ガラス）であり、その原稿台１０２の上面である原稿面に原稿１０１が載置されている。１０７は一体型走査光学系ユニットであり、照明手段１０３、光路を折り返す反射光学素子としての複数の反射光学素子１０４ａ〜１０４ｃ、結像光学系１０６、読取手段１０５を一体的に収納している。図１で、照明手段１０３は、画像読取用一体型ユニット１０７の外側窪みにあって、複数ミラー１０４ａ〜１０４ｃ、結像光学系１０６、読取手段１０５と共に一体的に設けられている。
【００１７】
画像読取用一体型ユニット１０７は、モータ等の駆動装置１０８により副走査方向（図１において矢印Ａ方向）へ原稿１０１に対して相対移動し、固定された原稿１０１の画像情報を読取っている。なお、画像読取用一体型ユニット１０７に対し、原稿１０１を移動させて原稿１０１の画像情報を読取るようにしても良い。
【００１８】
１０３は照明手段であり、蛍光灯やハロゲンランプより成っており、原稿台１０２に載置した原稿を１０１を照明している。１０４ａ、１０４ｂ、１０４ｃは、各々順に第１、第２、第３ミラーであり、原稿１０１からの光束を反射させ光路を折り曲げる。
【００１９】
１０６は２つのオフアキシャル光学素子１０６ａ、１０６ｂからなる結像光学系であり、複数のミラー１０４ａ、１０４ｂ、１０４ｃで反射された原稿１０１の画像情報に基づく光束を読取手段１０５面上に結像させている。オフアキシャル光学素子１０６ａ、１０６ｂを備えたオフアキシャル光学系は、像中心と瞳中心を通る光線に沿った基準軸を考えたとき、構成面の基準軸との交点における面法線が基準軸上にない曲面（オフアキシャル曲面）を含む光学系として定義される。
【００２０】
本実施形態では、結像光学系１０６の２つのオフアキシャル光学素子１０６ａ、１０６ｂのうち、第１オフアキシャル光学素子１０６ａは、第２オフアキシャル光学素子１０６ｂに比べて原稿面１０１に近い位置（図中上側）になるように配置している。
【００２１】
１０５は読取手段であり、ラインセンサー（もしくはイメージセンサー）の電荷結合素子より成っており、結像光学系１０６の結像位置であって、主走査方向（紙面垂直な長手方向）に複数の読取画素を配置している。１０８は駆動装置としての副走査モータであり、一体型走査光学系ユニット１０７を副走査方向に移動させている。本実施形態において、読取手段１０５は結像光学系１０６の結像位置にあり、一体型走査光学系ユニット１０７の原稿面１０１から法線方向の遠い端部に配置している。
【００２２】
（小型化を指向した光路配置）
先ず、主走査方向に直交する副走査断面において、原稿面からの光路に沿って順に設けられる第１のオフアキシャル光学素子１０６ａ、第２のオフアキシャル光学素子１０６ｂ間における光束の中心光線の方向が原稿面に対して傾斜した方向に設定される。そして、複数のミラー間における光束のうち、少なくとも一つの光束の中心光線の方向を、画像読取用一体型ユニット１０７の対角方向であって第１、第２のオフアキシャル光学素子間における光束の中心光線の方向と同じ方向性の傾斜を備える方向とする。このように複数のミラーが配置される。
【００２３】
本実施形態では、第１、第２ミラー１０４ａ、１０４ｂ間、第２、第３ミラー１０４ｂ、１０４ｃ間、の光束の中心光線が、２つのオフアキシャル光学素子１０６ａ、１０６ｂを結ぶ方向と同じ方向性（いわゆる右肩上がり）の傾斜を備える対角方向とされる。このように、複数のミラーが配置される。
【００２４】
更に本実施形態においては、ミラー１０４ａ、１０４ｂ間の光束の中心光線は、以下に示す３つの線で形成される三角形の領域内を通過する。即ち、第１のオフアキシャル光学素子１０６ａの中心光線反射点を通る副走査方向の線、第２のオフアキシャル光学素子１０６ｂの中心光線反射点を通る原稿面の法線、第１、第２のオフアキシャル光学素子１０６ａ、１０６ｂを結ぶ光束の中心光線である。
【００２５】
この三角形領域内の通過は、複数のミラー間（反射光学素子間）で折り曲げられる光束のうち、少なくとも一つの光束の中心光線が該当すれば良いが、本実施形態においては、ミラー１０４ａ、１０４ｂ間の光束の中心光線が該当する。本実施形態においては、ミラー１０４ａ、１０４ｂ間の光束の中心光線が、第１、第２のオフアキシャル光学素子１０６ａ、１０６ｂに最も接近した光路をとるものであり、装置の小型化のために上記三角形領域内を通過する。
【００２６】
また、本実施形態においては、ミラー１０４ｃから第１のオフアキシャル光学素子への入射光束、前記第２のオフアキシャル光学素子から読取手段への射出光束の少なくとも一方の中心光線は、原稿面と平行もしくは平行に近い方向とされる。なお、平行に近い方向は平行からのずれ角度の絶対値が１０度以内の方向とする。
【００２７】
なお、本実施形態において、原稿面からの光束を最初に反射する第１反射光学素子としての第１ミラー１０４ａが他のミラー１０４ｂ、１０４ｃより原稿面１０１から遠くの位置（図中下側）に配置される。また、第２ミラー１０４ｂが第２オフアキシャル光学素子１０６ｂより副走査方向で読取手段１０５に近い位置（図中右側）に配置される。そして、画像読取用一体型ユニット１０７内の１つの対角方向に複数のミラー１０４ａ〜１０４ｃが配置されるが、他の対角方向には照明手段１０３と結像光学系１０６が配置される。
【００２８】
更に、本実施形態においては、小型化のために以下の条件式（１）を満たすようにする。ここで、第１のオフアキシャル光学素子１０６ａ、第２のオフアキシャル光学素子１０６ｂ間における光束の中心光線と副走査方向のなす角度をω、複数の反射光学素子間の光束の中心光線と副走査方向のなす角度の平均値をθとする。また、反射光学素子としてのミラー間の反射面間隔の副走査方向における最大値Ｌ１に対する、原稿面の法線方向における原稿面から第１ミラー１０４ａまでの間隔Ｌ２のなす角度であるａｒｃｔａｎ（Ｌ２／Ｌ１）をαとする。
【００２９】
ω＞α＞θ  ・・・・・（１）
ω≦θの場合には、複数の反射光学素子間の光束の中心光線と副走査方向のなす角度の平均値θが大きくなるため、原稿面の法線方向における小型化を阻害する。同様に、ω≦αの場合にも、原稿面の法線方向における小型化を阻害する。また、α≦θの場合には、
複数の反射光学素子間の光束の中心光線と副走査方向のなす角度の平均値θが画像読取用一体型ユニット（キャリッジ）の対角方向であるα以上と大きくなるため、原稿面の法線方向における小型化を阻害する。
【００３０】
上記の条件式（１）を満たすことによって、適切なミラー配置となり、画像読取用一体型ユニット（キャリッジ）内の空間が有効に活用できる。本実施形態では、第１ミラーと第２ミラーの反射面間の光束と副走査方向のなす角度＝２７．０°、第２ミラーと第３ミラーの反射面間の光束と副走査方向のなす角度＝１１．０°であり、θ＝１９．０°となる。また、Ｌ１＝４５．８ｍｍ、Ｌ２＝２６．０ｍｍよりα＝２９．６°となる一方、ω＝４０．０°である。
【００３１】
このように本実施形態では、画像読取用一体型ユニット（キャリッジ）を有する画像読取装置において、複数のミラーを含めた各要素の配置を適切に設定することにより、画像読取用一体型ユニットの小型化を図ると共に装置全体の小型化を図ることができる。
【００３２】
《第２の実施形態》
図２は、本実施形態の画像読取装置の要部概略図である。同図において、図１に示した要素と同一要素は、同符番を付し、同一機能を有するものとして説明を省略する。本実施形態において、第１の実施形態と異なる点は、ミラーを２０４ａ〜２０４ｅに増やしたことである。
【００３３】
走査用の複数のミラーは、第１、第２、第３、第４、第５ミラー２０４ａ、２０４ｂ、２０４ｃ、２０４ｄ、２０４ｅの５枚のミラーより成っている。本実施形態では、原稿１０１からの光束が、第１ミラー２０４ａで反射された後、第２ミラー２０４ｂへ入射し、第２ミラー２０４ｂで反射された光束が第３ミラー２０４ｃへ入射するように各ミラーを配置している。更に第３ミラー２０４ｃで反射された後、第４ミラー２０４ｄへ入射し、第４ミラー２０４ｄで反射された光束が第５ミラー２０４ｅへ入射するように各ミラーを配置している。更に第５ミラーで反射された光束が、結像光学系１０６に入射するように各ミラーを配置している。
（小型化を指向した光路配置）
第１の実施形態と同様に、副走査断面において、複数のミラー間における光束のうち、少なくとも一つの光束の中心光線の方向を以下のようにする。即ち、画像読取用一体型ユニット２０７の対角方向であって、第１のオフアキシャル光学素子、第２のオフアキシャル光学素子間における光束の中心光線の方向と同じ方向性の傾斜を備える方向とする。このように複数のミラーが配置される。
【００３４】
本実施形態では、第１、第２ミラー２０４ａ、２０４ｂ間、第２、第３ミラー２０４ｂ、２０４ｃ間、の光束の中心光線が、２つのオフアキシャル光学素子１０６ａ、１０６ｂを結ぶ方向と同じ方向性（いわゆる右肩上がり）の傾斜を備える方向とされる。また、第３、第４ミラー２０４ｃ、２０４ｄ間、第４、第５ミラー２０４ｄ、２０４ｅ間での光束の中心光線も、２つのオフアキシャル光学素子１０６ａ、１０６ｂを結ぶ方向と同じ方向性（いわゆる右肩上がり）の傾斜を備える方向とされる。このように、複数のミラーが配置される。
【００３５】
更に本実施形態においては、ミラー２０４ａ、２０４ｂ間の光束、およびミラー２０４ｄ、２０４ｅ間の光束の中心光線が、第１の実施形態で説明した三角形の領域内を通過する。また、本実施形態においては、ミラー２０４ｅから第１のオフアキシャル光学素子への入射光束の中心光線は原稿面と非平行である。しかし、第２のオフアキシャル光学素子から読取手段への射出光束の中心光線は、原稿面と平行もしくは平行に近い方向（ずれ角度の絶対値は１０度以内）とされる。
【００３６】
なお、本実施形態において、第１ミラー２０４ａが他のミラー２０４ｂ、２０４ｃ、２０４ｄ、２０４ｅより原稿面１０１から遠くの位置（図中下側）に配置される。また第２ミラー２０４ｂ、第４ミラー２０４ｄが第２オフアキシャル光学素子１０６ｂより副走査方向で読取手段１０５に近い位置（図中右側）に配置される。
【００３７】
本実施形態において、上述したように画像読取用一体型ユニット２０７内の１つの対角方向に複数のミラー２０４ａ〜２０４ｅが配置されるが、他の対角方向に照明手段１０３と結像光学系１０６が配置される。
【００３８】
本実施形態では、第１ミラーと第２ミラーの反射面間の光束と副走査方向のなす角＝５８．０°、第２ミラーと第３ミラーの反射面間の光束と副走査方向のなす角＝３４．０°である。また、第３ミラーと第４ミラーの反射面間の光束と副走査方向のなす角＝２６．０°、第４ミラーと第５ミラーの反射面間の光束と副走査方向のなす角＝３４．０°である。これより、θ＝３８．０°となる。また、Ｌ１＝３８．０ｍｍ、Ｌ２＝３７．０ｍｍよりα＝４４．２°となる一方、ω＝５０．０°である。
【００３９】
このように本実施形態ではキャリッジを有する画像読取装置において複数のミラーを含めた各要素の配置を適切に設定することにより、画像読取用一体型ユニットの小型化を図ると共に画像読取装置全体の小型化を図ることができる。
【００４０】
《第３の実施形態》
図３は、本実施形態の画像読取装置の要部概略図である。同図において、図１に示した要素と同一要素は、同符番を付し、同一機能を有するものとして説明を省略する。本実施形態において、第１の実施形態と異なる点は、ミラーを３０４ａ〜３０４ｅに増やしたことである。走査用の複数のミラーは第１、第２、第３、第４、第５ミラー３０４ａ、３０４ｂ、３０４ｃ、３０４ｄ、３０４ｅの５枚のミラーより成っている。
【００４１】
本実施形態では、原稿１０１からの光束が、第１ミラー３０４ａで反射された後、第２ミラー３０４ｂへ入射し、第２ミラー３０４ｂで反射された光束が第３ミラー３０４ｃへ入射するように各ミラーを配置している。更に第３ミラー３０４ｃで反射された後、第４ミラー３０４ｄへ入射し、第４ミラー３０４ｄで反射された光束が第５ミラー３０４ｅへ入射するように各ミラーを配置している。更に第５ミラーで反射された光束が結像光学系１０６に入射するように各ミラーを配置している。
（小型化を指向した光路配置）
第１の実施形態と同様に、副走査断面において、複数のミラー間における光束のうち、少なくとも一つの光束の中心光線の方向を、以下のようにする。即ち、画像読取用一体型ユニット３０７の対角方向であって、第１のオフアキシャル光学素子、第２のオフアキシャル光学素子間における光束の中心光線の方向と同じ方向性の傾斜を備える方向とする。このように複数のミラーが配置される。
【００４２】
本実施形態では、第１、第２ミラー３０４ａ、３０４ｂ間、第２、第３ミラー３０４ｂ、３０４ｃ間、の光束の中心光線が、２つのオフアキシャル光学素子１０６ａ、１０６ｂを結ぶ方向と同じ方向性（いわゆる右肩上がり）の傾斜を備える方向とされる。また、第３、第４ミラー３０４ｃ、３０４ｄ間、第４、第５ミラー３０４ｄ、３０４ｅ間での光束の中心光線も、２つのオフアキシャル光学素子１０６ａ、１０６ｂを結ぶ方向と同じ方向性（いわゆる右肩上がり）の傾斜を備える方向とされる。このように、複数のミラーが配置される。
【００４３】
更に本実施形態においては、ミラー３０４ａ、３０４ｂ間の光束の中心光線が、第１の実施形態で説明した三角形の領域内を通過する。また、本実施形態においては、ミラー３０４ｅから第１のオフアキシャル光学素子への入射光束の中心光線が、原稿面と平行もしくは平行に近い方向（ずれ角度の絶対値は１０度以内）とされる。更に、第２のオフアキシャル光学素子から読取手段への射出光束の両方の中心光線も、原稿面と平行もしくは平行に近い方向（ずれ角度の絶対値は１０度以内）とされる。
【００４４】
なお、本実施形態において、第１ミラー３０４ａが他のミラー３０４ｂ、３０４ｃ、３０４ｄ、３０４ｅより原稿面１０１から遠くの位置（図中下側）に配置される。また第２ミラー３０４ｂ、第４ミラー３０４ｄが第２オフアキシャル光学素子１０６ｂより副走査方向で読取手段１０５に近い位置（図中右側）に配置される。
【００４５】
本実施形態において、上述したように画像読取用一体型ユニット３０７内の１つの対角方向に複数のミラー３０４ａ〜３０４ｅが配置されるが、他の対角方向に照明手段１０３と結像光学系１０６が配置される。
【００４６】
本実施形態では、第１ミラーと第２ミラーの反射面間の光束と副走査方向のなす角＝３２．０°、第２ミラーと第３ミラーの反射面間の光束と副走査方向のなす角＝２４．０°である。また、第３ミラーと第４ミラーの反射面間の光束と副走査方向のなす角＝３２．０°、第４ミラーと第５ミラーの反射面間の光束と副走査方向のなす角＝２０．０°である。これより、θ＝２７．０°となる。また、Ｌ１＝５１．２ｍｍ、Ｌ２＝４０．０ｍｍよりα＝３８．０°となる一方、ω＝４０．０°である。
【００４７】
このように本実施形態ではキャリッジを有する画像読取装置において複数のミラーを含めた各要素の配置を適切に設定することにより、画像読取用一体型ユニットの小型化を図ると共に画像読取装置全体の小型化を図ることができる。
【００４８】
（変形例）
以上、本発明の好ましい実施形態について説明したが、本発明はこれらの実施形態に限定されず、その要旨の範囲内で種々の変形及び変更が可能である。例えば、原稿面を長手方向（主走査方向）に照明する照明手段１０３は、原稿面を片側より照明する形態であったが、両側から照明する形態であっても良い。また、反射光学素子として、光束を反射し光路を折り曲げるミラーを示したが、同様の機能を有するプリズム等に置き換えても良い。
【符号の説明】
【００４９】
１・・画像読取装置、１０３・・照明手段、１０４ａ〜１０４ｃ・・ミラー、１０５・・読取手段、１０６ａ、１０６ｂ・・オフアキシャル光学素子、１０６・・結像光学系、１０７・・画像読取用一体型ユニット、２０４ａ〜２０４ｅ、２０７・・画像読取用一体型ユニット、３０４ａ〜３０４ｅ・・ミラー、３０７・・画像読取用一体型ユニット
【図１】
2013192053.tif 000003
【図２】
2013192053.tif 000004
【図３】
2013192053.tif 000005
【図４】
2013192053.tif 000006